(57)【要約】【課題】手の平及び手の甲にフィットし、手の周りを周方向から包囲して効率よく暖めることができる使い捨てカイロを提供する。【解決手段】熱可塑性合成繊維からなる不織布に熱可塑性合成樹脂フィルムをラミネートした通気性を有する袋体１１に空気の存在下で発熱する発熱組成物を収納してなる使い捨てカイロ１において、前記袋体１１を、手２のひら及び手２の甲に周方向からフィットするように環状に形成している。そして、前記袋体１１は、その周方向において手２のひらと手２の甲とにそれぞれ対応した位置で発熱組成物が収納されるように、手２のひら側に対応する収納室１２と手２の甲側に対応する収納室１３とに２つに区画されている。【選択図】図２
0003161590.tif 000002
【実用新案登録請求の範囲】
【請求項１】
熱可塑性合成繊維からなる不織布に熱可塑性合成樹脂フィルムをラミネートした通気性を有する複合構造物に空気の存在下で発熱する発熱組成物を収納してなる使い捨てカイロであって、
前記複合構造物が、身体の特定部位にフィットするように環状又は帯状に形成されていることを特徴とする使い捨てカイロ。
【請求項２】
前記複合構造物が、前記発熱組成物を周方向に個別に収納するように複数の収納室に区画されている請求項１に記載の使い捨てカイロ。
【考案の詳細な説明】
【技術分野】
【０００１】
本考案は、身体にフィットしやすくした使い捨てカイロに関する。
【背景技術】
【０００２】
従来より、使い捨てカイロとしては、空気の存在下で発熱する発熱組成物、例えば鉄粉、無機塩、活性炭、水などからなる発熱組成物を、例えば熱可塑性合成繊維からなる不織布と通気孔を有する非通気性樹脂フィルムをラミネートした表面層と、無孔の非通気性樹脂フィルムと不織布をラミネートした裏面層とからなる袋体内に収納したものが知られている（特公昭５７−１４８１４号公報）。そして、前記使い捨てカイロは、手のひら大の略矩形状を呈し、通常は前記表面層と裏面層を重ね合わせ、その中間に発熱組成物を置き、さらにその外周を熱接着することにより製造される。この使い捨てカイロは、未使用時に空気との接触を避ける上で、さらに非通気性樹脂フィルムで構成される袋に密封収納されており、使用時にこの袋から取り出して発熱組成物を空気と接触させることにより、発熱組成物と空気を反応せしめて発熱させる。
【０００３】
前記使い捨てカイロは、前記気密性袋あるいは容器から取り出すと直ちに発熱を開始し、長時間にわたって所定の温度を維持することが出来るため、携帯用カイロとして身体の様々な部位の保温用として用いられている。最近では温熱医療用として、手や足のみならず首や腰部などの温湿布用に用いられる需要が拡大している。
【先行技術文献】
【特許文献】
【０００４】
【特許文献１】実公昭５７−１４８１４号公報
【考案の概要】
【考案が解決しようとする課題】
【０００５】
しかしながら、従来の使い捨てカイロでは、手のひら大の略矩形状を呈しているため、身体の表裏両面側を周方向から包囲して暖めたい場合、つまり、手の周り（手のひら及び手の甲）、胴部の周り、腰部の周り、首の周り、前腕の周り、上腕の周り、大腿の周り、下腿の周り、足首の周り、又は足の周り（足背及び足裏）といった身体の特定部位を周方向から包囲して暖めたい場合には、フィットし難いものであった。
具体的には、手の周りを周方向から包囲して暖めたい場合には、左右の手に把持した使い捨てカイロを用い、一方の手に把持した使い捨てカイロにより当該一方の手のひらを暖めながら、他方の手に把持した使い捨てカイロを前記一方の手の甲に押し当てて暖めなければならない。これでは、両手を使って片方の手（一方の手）の周りつまり片方の手のひらと手の甲としか暖めることができず、左右の手の周りを周方向から包囲して効率よく暖めることができない。
【０００６】
また、使い捨てカイロは、その他の身体の特定部位、つまり胴部の周り、腰部の周り、首の周り、前腕の周り、上腕の周り、大腿の周り、下腿の周り、足首の周り、又は足の周り（足背及び足裏）においてもフィットし難いため、当該身体の特定部位も周方向から包囲して効率よく暖めることができない。
【０００７】
本考案は、かかる点に鑑みてなされたものであり、その目的とするところは、身体の特定部位にフィットして当該身体の特定部位を周方向から包囲して効率よく暖めることができる使い捨てカイロを提供することにある。
【課題を解決するための手段】
【０００８】
上記目的を達成するため、本考案では、熱可塑性合成繊維からなる不織布に熱可塑性合成樹脂フィルムをラミネートした通気性を有する複合構造物に空気の存在下で発熱する発熱組成物を収納してなる使い捨てカイロを前提とする。そして、前記複合構造物が、身体の特定部位にフィットするように環状又は帯状に形成されていることを特徴としている。
この特定事項により、複合構造物が環状又は帯状に形成されているので、身体の特定部位、例えば手の周りを暖めたい場合には、手のひらと手の甲に複合構造物を巻き付けることで手にフィットし、その内部に収納される発熱組成物によって、一方の手のひらと手の甲を他方の手を使わずに暖められ、左右の手の周りを効率よく暖めることが可能となる。
しかも、胴部の周り、腰部の周り、首の周り、前腕の周り、上腕の周り、大腿の周り、下腿の周り、足首の周り、又は足の周り（足背及び足裏）といった身体の特定部位においても複合構造物を巻き付けることで当該特定部位にフィットし、その内部に収納される発熱組成物によって、身体の特定部位を効率よく暖めることが可能となる。
【０００９】
また、前記複合構造物が、前記発熱組成物を周方向に個別に収納するように複数の収納室に区画されていることが好ましい。
この場合には、発熱組成物が周方向に片寄ることが規制され、発熱組成物を複合構造物の周方向で均等に発熱させて、手のひらと手の甲といった手の周りはもちろんのこと、胴部の周り、腰部の周り、首の周り、前腕の周り、上腕の周り、大腿の周り、下腿の周り、足首の周り、又は、足の周り（足背及び足裏）などの身体の特定部位も、周方向から包囲して均等に暖めることができる。
【考案の効果】
【００１０】
以上、要するに、複合構造物を環状又は帯状に形成することで、手のひらと手の甲などの身体の特定部位に複合構造物を巻き付けてフィットさせることができ、当該特定部位を効率よく暖めることができる。
【図面の簡単な説明】
【００１１】
【図１】本考案に係る使い捨てカイロの斜視図である。
【図２】図１の使い捨てカイロを手の周りにフィットさせた状態を示す斜視図である。
【考案を実施するための形態】
【００１２】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１３】
図１において、１は本考案の実施の形態に係る使い捨てカイロであって、この使い捨てカイロ１は、図示しない空気の存在下で発熱する、例えば、鉄粉、無機塩、活性炭、水などからなる発熱組成物（図示せず）を、例えばポリトリメチレンテレフタレート繊維などの熱可塑性合成繊維からなる不織布と通気孔を有する非通気性樹脂フィルムをラミネートした表面層と、無孔の非通気性樹脂フィルムと不織布をラミネートした裏面層とからなる複合構造物としての袋体１１内に収納している。そして、前記使い捨てカイロ１は、通常は前記表面層と裏面層を重ね合わせ、その中間に発熱組成物を置き、さらにその外周を熱接着することにより製造される。この使い捨てカイロ１は、未使用時に空気との接触を避ける上で、さらに非通気性樹脂フィルムで構成される袋に密封収納されており、使用時にこの袋から取り出して発熱組成物を空気と接触させることにより、発熱組成物と空気を反応せしめて発熱させる。
【００１４】
また、前記使い捨てカイロ１は、前記気密性袋あるいは容器から取り出すと直ちに発熱を開始し、長時間にわたって所定の温度を維持することができるようになっている。このため、使い捨てカイロ１は、身体の様々な部位の保温用として用いられ、最近では温熱医療用として、手のひら及び手の甲（手の周り）、胴部の周り、腰部の周り、首の周り、前腕の周り、上腕の周り、大腿の周り、下腿の周り、足首の周り、又は、足の周り（足背及び足裏）といった身体の特定部位の温湿布用にも用いられる。
【００１５】
そして、図２に示すように、前記使い捨てカイロ１の袋体１１は、身体の特定部位としての手の周りにフィットするように環状に形成されている。また、前記袋体１１は、その周方向において手２のひらと手２の甲とにそれぞれ対応した位置で発熱組成物が収納されるように、手２のひら側に対応する収納室１２と手２の甲側に対応する収納室１３とに２つに区画されている。この袋体１１は、手２のひら側の収納室１２と手２の甲側の収納室１３との周方向の縁部１２ａ，１３ａの裏面（内面）側同士を互いに向き合わせたままで綴じている。この場合、両収納室１２，１３は１５０ｍｍ×１００ｍｍサイズに形成され、その縁部１２ａ，１３ａ同士が、図示しないホットメルトを用いたり、ヒートシールによって綴じられている。
【００１６】
したがって、本実施の形態では、使い捨てカイロ１の袋体１１が環状に形成されているので、手２のひらと手２の甲に袋体１１を巻き付けることで手２の周りにフィットし、その内部に収納される発熱組成物によって、一方の手２のひらと手２の甲を他方の手を使わずに周方向から包囲して暖められ、左右の手２の周りを効率よく暖めることができる。
【００１７】
また、袋体１１が、その周方向において手２のひらと手２の甲とにそれぞれ対応した位置で発熱組成物が収納されるように、手２のひら側に対応する収納室１２と手２の甲側に対応する収納室１３とに２つに区画されているので、発熱組成物が周方向に片寄ることが規制される。つまり、袋体１１内の発熱組成物が手２のひら側又は手２の甲側に片寄ることが規制される。
これにより、発熱組成物を袋体１１の周方向で均等に発熱させて、手２のひらと手２の甲を均等に暖めることができる。
【００１８】
なお、本考案は、前記実施の形態に限定されるものではなく、その他種々の変形例を包含している。例えば、前記実施の形態では、手２の周り（手のひら及び手の甲）に使い捨てカイロ１の袋体１１を周方向から包囲するように巻き付けてフィットさせたが、胴部の周り、腰部の周り、首の周り、前腕の周り、上腕の周り、大腿の周り、下腿の周り、足首の周り、又は、足の周り（足背及び足裏）といった身体の特定部位に使い捨てカイロの袋体を周方向から包囲するように巻き付けてフィットさせていてもよいのはいうまでもない。この場合には、身体の特定部位に則した長さに袋体の長さを設定する必要があり、当該身体の特定部位を効率よく暖めることが可能となる。
【００１９】
また、前記実施の形態では、袋体１１をその周方向において２つの収納室１２，１３に区画したが、３つ以上の収納室に区画されていてもよい。また、収納室は、身体の特定部位に則した長さに設定された袋体が長くなるに従って多くなるように区画されていてもよい。これに対し、袋体が単一の収納室よりなる環状又は帯状に形成されていてもよい。
【００２０】
また、前記実施の形態では、袋体１１の両収納室１２，１３の周方向の縁部１２ａ，１３ａの裏面（内面）側同士を互いに向き合わせたままで綴じたが、袋体の両収納室の周方向の縁部の裏面と表面（外面）側とが互いに向き合った状態で綴じられていてもよい。また、袋体の両収納室の周方向の縁部同士の間に、周方向に伸縮するゴムなどの伸縮材を介在させていてもよい。この場合には、身体の特定部位に対するフィット性能が格段に向上してズレなどをなくし、当該身体の特定部位をより効率よく暖めることが可能となる。
【００２１】
更に、前記実施の形態では、使い捨てカイロ１の袋体１１を環状に形成したが、使い捨てカイロの袋体が帯状に形成されていてもよい。その場合には、袋体の端部を、面ファスナーで係止したり、ゴムバンドなどで外方から包囲して係止するようにしてもよい。
【符号の説明】
【００２２】
１      使い捨てカイロ
１１    袋体（複合構造物）
１２，１３    収納室
２      手（身体）
【図１】
0003161590.tif 000003
【図２】
0003161590.tif 000004